(57)【要約】【課題】ワイヤーハーネスとの接続に用いるのに適した構造のスプリングピン型コンタクトを備えた多芯の電気コネクタを提案すること。【解決手段】スプリングピン型コンタクト１２を備えたスプリングピン型電気コネクタ１では、各スプリングピン型コンタクト１２におけるスプリングピン１３をスライド可能な状態で保持しているチューブ１５の後端から延びている端子ピン１４の外周面に、ワイヤーハーネス３の電線３１の端部３１ａに取り付けたメス側端子金具３５との係合用段面１４ｄを形成してある。ワイヤーハーネス３の各電線３１の側のメス側端子金具３５に端子ピン１４を押し込むことで、これらの間が抜け防止状態で嵌合して、電気的に接続される。ハンダ付けが不要となるので、多芯のスプリングピン型電気コネクタをワイヤーハーネス３に接続する作業が簡単になり、配線修正作業も容易になる。【選択図】図２
2013247008.tif 000002
【特許請求の範囲】
【請求項１】
スプリングピン型コンタクトを備えたスプリングピン型電気コネクタとワイヤーハーネスの接続構造であって、
前記スプリングピン型電気コネクタは、複数本の前記スプリングピン型コンタクトと、前記スプリングピン型コンタクトが圧入固定されている複数個の貫通穴を備えた絶縁性素材からなるコンタクトハウジングとを有し、
前記スプリングピン型コンタクトは、前記貫通穴に圧入固定した導電性のチューブと、前記チューブ内を軸線方向にスライド可能な状態で当該チューブに装着され、先端側の部分が前記チューブの前端開口から前方に突出しているスプリングピンと、前記スプリングピンを前記チューブから前方に突出する方向に付勢しているスプリングと、前記チューブの後端から同軸状態で後方に延びている端子ピンとを備えており、
前記端子ピンは、その軸線方向の途中の部分を小径にすることで、ハウジング前方を向く円環状の係合用段面が形成されており、
前記ワイヤーハーネスは各電線の一端に取り付けたメス側接続端子を有し、このメス側接続端子は、前記電線に圧着された電線圧着部と、前記端子ピンをハウジング前方から押し込むと弾性変形して左右に押し広げられて当該端子ピンに嵌合可能なピン嵌合部とを備えており、
前記端子ピンを前記ピン嵌合部に対して押し込むと、前記ピン嵌合部におけるハウジング後側の端部が、前記端子ピンの前記係合用段面に対して、ハウジング前側から係合して、前記端子ピンの前記ピン嵌合部からの抜けが阻止された状態になることを特徴とするスプリングピン型電気コネクタとワイヤーハーネスの接続構造。
【請求項２】
請求項１に記載のスプリングピン型電気コネクタであって、
複数本のスプリングピン型コンタクトと、
前記スプリングピン型コンタクトが圧入固定されている複数個の貫通穴を備えた絶縁性素材からなるコンタクトハウジングとを有し、
前記スプリングピン型コンタクトのそれぞれは、
前記貫通穴に圧入固定した導電性のチューブと、
前記チューブ内を軸線方向にスライド可能な状態で当該チューブに装着され、先端側の部分が前記チューブの前端開口から前方に突出しているスプリングピンと、
前記スプリングピンを前記チューブから前方に突出する方向に付勢しているスプリングと、
前記チューブの後端から同軸状態で後方に延びている端子ピンとを備えており、
前記端子ピンは、その軸線方向の途中の部分を小径にすることで、ハウジング前方を向く円環状の係合用段面が形成されていることを特徴とするスプリングピン型電気コネクタ。
【発明の詳細な説明】
【技術分野】
【０００１】
本発明は、スプリングピン型コンタクトを備えた多芯のスプリングピン型電気コネクタに関し、特に、ワイヤーハーネスとの接続に用いるスプリングピン型電気コネクタに関する。
【背景技術】
【０００２】
多芯の電気コネクタとしては、バネ力によってピンを接続対象の接点に圧接して接続状態を形成するスプリングピン型コンタクトを備えたものが知られている。スプリングピン型コンタクトでは、スプリングピン、コンタクトピン、プローブピンあるいはポゴピンなどと呼ばれる接続端子用のピン（以下、「スプリングピン」と呼ぶ。）が、円筒状のチューブにスライド可能な状態で装着されている。スプリングピンはチューブ内に装着されているコイルスプリングによって付勢されて、その先端側の部分がチューブの前端開口から前方に突出した状態に保持されている。
【０００３】
特許文献１には、このようなスプリングピン型コンタクトを備えた電気接続用コネクタが記載されている。また、特許文献２には複数のスプリングピン型コンタクトを備えた多芯電気コネクタが記載されている。
【先行技術文献】
【特許文献】
【０００４】
【特許文献１】実開平０６−６２４７４号公報
【特許文献２】特開２００５−５０７３８号公報
【発明の概要】
【発明が解決しようとする課題】
【０００５】
スプリングピン型コンタクトでは、スプリングピンは相手側の接点に対して弾圧力によって電気的な接続が形成されるので、ハンダ付けなどの結線作業が不要である。しかしながら、スプリングピンをスライド可能な状態で保持しているチューブの側においては、その後端側の部位をハンダ付けにより回路基板上の配線部分あるいは電線等に接続する結線作業が必要である。
【０００６】
このため、多芯の電気コネクタの場合には、それを構成している複数本のスプリングピン型コンタクトのそれぞれに対する結線作業が必要であり、配線修正あるいは変更を行う場合の作業も面倒である。
【０００７】
例えば、スプリングピン型コンタクトからなる多芯の電気コネクタを、多数の接点とワイヤーハーネスとの間を接続するための中継用のコネクタなどとして用いることが考えられる。この場合には、多芯の電気コネクタにおける各スプリングピン型コンタクトとワイヤーハーネスの各電線との間をハンダ付けによって結線する必要があり、作業が面倒である。また、結線状態の変更を簡単な作業によって行うことができない。しかしながら、従来においては、スプリングピン型コンタクトを用いた多芯の電気コネクタをワイヤーハーネスとの接続に用いることについては何ら着目されておらず、また、これらの間の接続を簡単に行うための提案も何らなされていない。
【０００８】
本発明の課題は、このような点に鑑みて、ワイヤーハーネスとの接続に用いるのに適した構造を備えたスプリングピン型コンタクトからなる多芯の電気コネクタを提案することにある。
【課題を解決するための手段】
【０００９】
上記の課題を解決するために、本発明のスプリングピン型コンタクトを備えたスプリングピン型電気コネクタでは、各スプリングピン型コンタクトにおけるスプリングピンをスライド可能な状態で保持しているチューブの後端から延びている端子ピンの外周面に、ワイヤーハーネスの電線の端に取り付けたメス側端子金具との係合用段部を形成してある。ワイヤーハーネスの各電線の側のメス側端子金具に端子ピンを押し込むことで、これらの間が、抜け防止状態で嵌合して電気的に接続される。ハンダ付けが不要となるので、多芯のスプリングピン型電気コネクタをワイヤーハーネスに接続する作業が簡単になり、配線修正作業も容易になる。
【発明の効果】
【００１０】
このように、本発明では、スプリングピン型コンタクトにおけるチューブに形成されている端子ピンをワイヤーハーネスの各電線のメス側端子金具に嵌合させることで双方を電気的に接続することができる。したがって、スプリングピン型コンタクトからなる多芯の電気コネクタをワイヤーハーネスの各電線と接続する配線作業、配線の変更・修正作業等を簡単かつ効率良く行うことができる。
【図面の簡単な説明】
【００１１】
【図１】（ａ）は、スプリングピン型コンタクトを備えた電気コネクタ、パッドピン型コンタクトおよびワイヤーハーネスを用いた配線接続例を示す平面図であり、（ｂ）はスプリングピン型コンタクトを備えた電気コネクタおよびワイヤーハーネスを示す斜視図であり、（ｃ）はパッドピン型コンタクトを備えた電気コネクタを示す斜視図である。
【図２】（ａ）はスプリングピン型電気コネクタおよびワイヤーハーネスのメス側コネクタを示す平面図であり、（ｂ）はスプリングピン型電気コネクタの正面図であり、（ｃ）はその断面図であり、（ｄ）はスプリングピン型コンタクトを示す側面図である。
【図３】スプリングピン型電気コネクタの別の例を示す斜視図である。
【図４】（ａ）はスプリングピン型電気コネクタおよびワイヤーハーネスの別の例を示す平面図であり、（ｂ）はスプリングピン型電気コネクタの正面図であり、（ｃ）はその断面図であり、（ｄ）はスプリングピン型コンタクトを示す側面図である。
【発明を実施するための形態】
【００１２】
以下に、図面を参照して、本発明を適用したスプリングピン型コンタクトを備えた電気コネクタおよび当該電気コネクタとワイヤーハーネスの接続構造の実施の形態を説明する。
【００１３】
図１（ａ）は、スプリングピン型コンタクトを備えた電気コネクタ、パッドピン型コンタクトおよびワイヤーハーネスを用いた配線接続例を示す平面図であり、図１（ｂ）はスプリングピン型コンタクトを備えた電気コネクタおよびワイヤーハーネスを示す斜視図であり、図１（ｃ）はパッドピン型コンタクトを備えた電気コネクタを示す斜視図である。
【００１４】
図１（ａ）に示す配線接続例では、スプリングピン型コンタクトを備えた電気コネクタ１（以下、「スプリングピン型電気コネクタ１」と呼ぶ。）が、パッドピン型コンタクトを備えた電気コネクタ２（以下、「パッドピン型電気コネクタ２」と呼ぶ。）とワイヤーハーネス３の間を電気的に接続するためのコネクタとして用いられている。また、パッドピン型電気コネクタ２にもワイヤーハーネス４が接続されている。
【００１５】
スプリングピン型電気コネクタ１は、コネクタハウジング１１に、一定のピッチで配列された同一構成の３本のスプリングピン型コンタクト１２が取り付けられている。スプリングピン型コンタクト１２は、コネクタハウジング１１の前側の端面１１ａから前方に突出しているスプリングピン１３と、コネクタハウジング１１の後側の端面１１ｂから後方に突出している端子ピン１４を備えている。
【００１６】
パッドピン型電気コネクタ２は、コネクタハウジング２１に、上記のスプリングピン型コンタクト１２と同一のピッチで配列された同一構成の３本のパッドピン型コンタクト２２が取り付けられている。パッドピン型コンタクト２２は、コネクタハウジング２１の前側の端面２１ａに円盤状のパッド部分の平坦な円形先端面２３ａが露出しているパッドピン２３と、コネクタハウジング２１の後側の端面２１ｂから後方に突出している端子ピン２４を備えている。
【００１７】
スプリングピン型電気コネクタ１のスプリングピン型コンタクト１２のスプリングピン１３の先端１３ａは、対応するパッドピン型電気コネクタ２のパッドピン型コンタクト２２のパッドピン２３の円形先端面２３ａにそれぞれスプリング力によって圧接され、これらの間の電気的接続状態が形成されている。
【００１８】
スプリングピン型電気コネクタ１の反対側に接続されているワイヤーハーネス３は、一般的な構成のものであり、本例では、３本の電線３１と、これらの一方の端部に取り付けられているメス側コネクタ３２と、電線３１の反対側の端部に取り付けられている例えばオス側コネクタ３３とを備えている。メス側コネクタ３２は、コネクタハウジング３４と、ここに上述のスプリングピン型コンタクト１２と同一のピッチで配列されている３個のメス側端子金具３５とを備えている。メス側端子金具３５にはその先端側から上述のスプリングピン型コンタクト１２の端子ピン１４を差し込み固定する（嵌合する）ことが可能である。これらのメス側端子金具３５のそれぞれは電線３１のそれぞれの一方の端部に固定されて当該電線３１に電気的に接続されている。他方のオス側コネクタ３３は、コネクタハウジング３６と、ここに一定のピッチで配列された３個のオス側端子ピン３７とを備えており、オス側端子ピン３７のそれぞれは電線３１のそれぞれの他方の端部に固定されて当該電線３１に電気的に接続されている。
【００１９】
なお、パッドピン型電気コネクタ２の側に接続されているワイヤーハーネス４も、ワイヤーハーネス３と同様な構成であり、３本の電線４１と、これらの電線４１の一方の端部に取り付けられているメス側コネクタ４２と電線４１の反対側の端に取り付けられているコネクタ（図示せず）とを備えている。
【００２０】
図２（ａ）はスプリングピン型電気コネクタ１およびワイヤーハーネス３のメス側コネクタ３２を示す平面図であり、内部構造が分かるように一部を断面で示してある。図２（ｂ）はスプリングピン型電気コネクタ１の正面図であり、図２（ｃ）はその断面図であり、図２（ｄ）はスプリングピン型コンタクト１２を示す側面図であり、内部構造が分かるように一部を断面で示してある。
【００２１】
まず、スプリングピン型電気コネクタ１のスプリングピン型コンタクト１２は、図２（ｄ）から分かるように、導電性の円筒状のチューブ１５を備えている。このチューブ１５には、その内部を軸線方向にスライド可能な状態でスプリングピン１３が装着されている。スプリングピン１３の先端側の部分がチューブ１５の前側の開口１５ａから前方に突出している。チューブ１５の後側の端は封鎖端１５ｂとなっており、チューブ１５内においては、この封鎖端１５ｂの内側端面とスプリングピン１３の後端面１３ｂの間に、圧縮状態でコイルスプリング１６が装着されている。スプリングピン１３はコイルスプリング１６のばね力によって常に前方に突出する方向に付勢されている。
【００２２】
チューブ１５の外周面には、その開口１５ａの側の部位に、一定幅の大径のフランジ１５ｃが形成されており、フランジ１５ｃよりも前側の部分は全体として同一外径である。フランジ１５ｃの後側の部分も全体としては略同一外径であるが、その軸線方向の途中の部位に、僅かに外径が大きくなっている圧入用大径部分１５ｄが形成されている。チューブ１５の後側の封鎖端１５ｂにおける外側端面からは同軸状態で小径の端子ピン１４が突出している。端子ピン１４の先端部分１４ａは先細りの円錐形状をしている。また、端子ピン１４には、その軸線方向における途中の部分において、前後の部分に比べて僅かに小径の小径部分１４ｂが一定長さで形成されている。この小径部分１４ｂと、これに連続している先端側のピン先端側部分１４ｃとの間には、チューブ側を向く円環状の係合用段面１４ｄが形成されている。
【００２３】
次に、スプリングピン型電気コネクタ１のコネクタハウジング１１には、その前側の端面１１ａから後側の端面１１ｂまで貫通して延びる貫通穴１１ｃが一定のピッチで３つ形成されている。各貫通穴１１ｃは、その前側の部分の内径が後側の部分よりも大きく、これらの間には位置決め用の円環状の段面１１ｄが形成されている。各貫通穴１１ｃには、その前側の端面１１ａの側から、スプリングピン型コンタクト１２のチューブ１５が圧入固定されている。チューブ１５は、そのフランジ１５ｃが位置決め用の段面１１ｄに当るまで圧入されて位置決めされる。また、チューブ１５の外周面に形成されている圧入用大径部分１５ｄによって確実に圧入状態が形成される。
【００２４】
チューブ１５の軸線方向の長さは貫通穴１１ｃの長さと略同一であり、圧入固定した状態では、チューブ１５の前端がコネクタハウジング１１の前側の端面１１ａに位置し、スプリングピン１３が前方に突出し、後側の端面１１ｂからは端子ピン１４が後方に突出する。
【００２５】
一方、ワイヤーハーネス３において、そのメス側コネクタ３２のコネクタハウジング３４は、前側の端面３４ａから後側の端面３４ｂに貫通する３つの貫通穴３４ｃが形成されている。貫通穴３４ｃの内部に、電線３１の端に固定したメス側端子金具３５が装着固定されている。メス側端子金具３５は、電線３１の端部３１ａを両側から挟み込む状態で当該端部３１ａに圧着させた電線圧着部３５ａと、この前側に連続しているピン嵌合部３５ｂとを備えている。ピン嵌合部３５ｂは、その前端からスプリングピン型コンタクト１２の端子ピン１４を差し込むと、ピン嵌合部３５ｂは弾性変形して左右に押し広げられて、端子ピン１４を受け入れ可能となっている。
【００２６】
図２（ａ）に示すように、スプリングピン型電気コネクタ１の後側の端面１１ｂから後方に突出している端子ピン１４に対して、メス側コネクタ３２の各貫通穴３４ｃを位置決めし、この状態でメス側コネクタ３２を前方に押し込む。これにより、端子ピン１４がメス側端子金具３５のピン嵌合部３５ｂに差し込まれ、これらの間が電気的に接続された嵌合状態になる。端子ピン１４のメス側端子金具３５のピン嵌合部３５ｂに対する差し込みは、コネクタハウジング１１の後側の端面１１ｂに、メス側コネクタ３２のハウジング３４の前側の端面３４ａが当接するまで行う。これらが当接した状態においては、ピン嵌合部３５ｂにおける後側の端部３５ｃが、端子ピン１４に形成されている係合用段面１４ｄに対して前側から係合した状態が形成される。これによって、ピン嵌合部３５ｂに差し込み固定された端子ピン１４の抜けが防止される。
【００２７】
このように、スプリングピン型電気コネクタ１は、ワイヤーハーネス３のメス側コネクタ３２に差し込むことで、接続された状態が形成される。したがって、従来のように、スプリングピン型電気コネクタ１の各スプリングピン型コンタクト１２の端子ピン１４をハンダ付けによってワイヤーハーネス３の各電線に接続する作業が不要であり、結線作業を簡単かつ効率良く行うことができる。また、配線修正等作業も、ハンダ付け部分を切断あるいは除去する作業を行うことなく、単に、端子ピン１４とメス側端子金具３５の間の着脱作業を行うだけでよいので、極めて簡単になる。これに加えて、図２（ｄ）において想像線で示すように、例えば、端子ピン１４Ａを折り曲げて先端側の部分の突出方向を変えることにより、配線引き出し方向（ワイヤーハーネスのメス側コネクタの接続方向）を自由に設定することができる。これにより配線の自由度が高まり、部品レイアウトが容易になる等の利点がある。
【００２８】
なお、スプリングピン型コンタクト１２が不規則ピッチで配列されている場合には、図３に示すように、ワイヤーハーネス３のメス側コネクタ３２として、ハウジングあるいはリテーナなどによって各メス側端子金具３５の位置が固定されていない状態のものを用いればよい。この図においては、図２における各部位に対応する部位には同一の符号を付してある。
【００２９】
次に、図４（ａ）はスプリングピン型電気コネクタおよびワイヤーハーネスの別の例を示す平面図であり、内部構造を示すために一部を断面で示してある。図４（ｂ）はスプリングピン型電気コネクタの正面図であり、図４（ｃ）はその断面図であり、図４（ｄ）はスプリングピン型コンタクトを示す側面図であり、内部構造を示すために一部を断面で示してある。図４に示す例も基本的な構成は図２に示す場合と同様であるので、以下に構成を簡単に説明する。
【００３０】
本例のスプリングピン型電気コネクタ５０では、図４（ｂ）から分かるにように、直線状に一定のピッチで複数本のスプリングピン型コンタクト５２が配列されている。図示の例では上下に４本ずつ、スプリングピン型コンタクト５２が配列されている。
【００３１】
図４（ｄ）から分かるように、スプリングピン型コンタクト５２は、導電性の円筒状のチューブ５５を備えている。このチューブ５５には、その内部を軸線方向にスライド可能な状態でスプリングピン５３が装着されている。スプリングピン５３の先端側の部分がチューブ５５の前側の開口５５ａから前方に突出している。チューブ５５の後側の端は封鎖端５５ｂとなっており、チューブ５５内においては、この封鎖端５５ｂの内側端面とスプリングピン５３の後端面５３ｂの間に、圧縮状態でコイルスプリング５６が装着されている。スプリングピン５３はコイルスプリング５６のばね力によって常に前方に突出する方向に付勢されている。
【００３２】
チューブ５５の外周面には、その開口５５ａの側の部位に、一定幅の大径のフランジ５５ｃが形成されており、フランジ５５ｃよりも前側の部分は全体として同一外径である。フランジ５５ｃの後側の部分も全体としては略同一外径であるが、その軸線方向の途中の部位に、僅かに外径が大きくなっている圧入用大径部分５５ｄが形成されている。チューブ５５の後側は封鎖端５５ｂとなっており、この封鎖端５５ｂの外側端面からは同軸状態で小径の端子ピン５４が突出している。端子ピン５４の先端部分５４ａは先細りの円錐形状をしている。また、端子ピン５４には、その軸線方向における途中の部分において、前後の部分に比べて僅かに小径の小径部分５４ｂが一定長さで形成されている。この小径部分５４ｂと、これに連続している先端側のピン先端側部分５４ｃとの間には、チューブ側を向く円環状の係合用段面５４ｄが形成されている。
【００３３】
次に、スプリングピン型電気コネクタ５０のコネクタハウジング５１には、その前側の端面５１ａから後側の端面５１ｂまで貫通して延びる貫通穴５１ｃが、一定のピッチで円弧状に４つずつ２列分形成されており、両端には取付用のボルト穴５１ｅが形成されている。各貫通穴５１ｃは、その前側の部分の内径が後側の部分よりも大きく、これらの間には位置決め用の円環状の段面５１ｄが形成されている。各貫通穴５１ｃには、その前側の端面５１ａの側から、スプリングピン型コンタクト５２のチューブ５５が圧入固定されている。チューブ５５は、そのフランジ５５ｃが位置決め用の段面５１ｄに当るまで圧入されて位置決めされる。また、チューブ５５の外周面に形成されている圧入用大径部分５５ｄによって確実に圧入状態が形成される。
【００３４】
チューブ５５の軸線方向の長さは貫通穴５１ｃの長さの略半分であり、圧入固定した状態では、チューブ５５の前端がコネクタハウジング５１の前側の端面５１ａに位置し、スプリングピン５３が前方に突出している。これに対して、端子ピン５４は、貫通穴５１ｃ内に位置しており、その先端が後側の端面５１ｂの位置まで延びている。
【００３５】
一方、ワイヤーハーネス６０は、例えば８本の電線６１と、その一方の端部に取り付けたメス側端子金具６５と、これを覆っているゴム栓６６と、電線６１の反対側の端に取り付けたコネクタ６３とを備えている。メス側端子金具６５は、電線６１の端部６１ａを両側から挟み込む状態で当該端部６１ａに圧着させた圧着部分６５ａと、この前側に連続しているピン嵌合部６５ｂとを備えている。ピン嵌合部６５ｂは、その前端からスプリングピン型コンタクト５２の端子ピン５４を差し込むと、ピン嵌合部６５ｂは弾性変形して左右に押し広げられて、端子ピン５４を受け入れ可能となっている。
【００３６】
図４（ｃ）に示すように、スプリングピン型電気コネクタ５０の後側の端面５１ｂに露出している貫通穴５１ｃに対して、ワイヤーハーネス６０の各電線６１のメス側端子金具６５を押し込む。これにより、貫通穴５１ｃ内の端子ピン５４がメス側端子金具６５のピン嵌合部６５ｂに差し込まれ、これらの間が電気的に接続された嵌合状態になる。端子ピン５４のメス側端子金具６５のピン嵌合部６５ｂに対する差し込みは、コネクタハウジング５１の後側の端面５１ｂに、メス側端子金具６５のゴム栓６６当接するまで行う。これらが当接した状態においては、ピン嵌合部６５ｂにおける後側の端部６５ｃが、端子ピン５４に形成されている係合用段面５４ｄに対して前側から係合した状態が形成される。これによって、ピン嵌合部６５ｂに差し込み固定された端子ピン５４の抜けが防止される。
【符号の説明】
【００３７】
１    スプリングピン型電気コネクタ
２    パッドピン型電気コネクタ
３、４  ワイヤーハーネス
１１  コネクタハウジング
１１ａ  前側の端面
１１ｂ  後側の端面
１１ｃ  貫通穴
１１ｄ  段面
１２  スプリングピン型コンタクト
１３  スプリングピン
１４、１４Ａ  端子ピン
１４ａ  先端部分
１４ｂ  小径部分
１４ｃ  ピン先端側部分
１４ｄ  係合用段面
１５  チューブ
１５ａ  開口
１５ｂ  封鎖端
１５ｃ  フランジ
１５ｄ  圧入用大径部分
１６  コイルスプリング
２１  コネクタハウジング
２１ａ  前側の端面
２１ｂ  後側の端面
２２  パッドピン型コンタクト
２３  パッドピン
２３ａ  円形先端面
２４  端子ピン
３１、４１  電線
３１ａ  端部
３２、４２  メス側コネクタ
３３  オス側コネクタ
３４  コネクタハウジング
３４ａ  前側の端面
３４ｂ  後側の端面
３４ｃ  貫通穴
３５  メス側端子金具
３５ａ  電線圧着部
３５ｂ  ピン嵌合部
３５ｃ  端部
３６  コネクタハウジング
３７  オス側端子ピン
５０  スプリングピン型電気コネクタ
５１  コネクタハウジング
５１ａ  前側の端面
５１ｂ  後側の端面
５１ｃ  貫通穴
５１ｄ  段面
５１ｅ  ボルト穴
５２  スプリングピン型コンタクト
５３  スプリングピン
５４  端子ピン
５４ａ  先端部分
５４ｂ  小径部分
５４ｃ  ピン先端側部分
５４ｄ  係合用段面
５５  チューブ
５５ａ  開口
５５ｂ  封鎖端
５５ｃ  フランジ
５５ｄ  圧入用大径部分
５６  コイルスプリング
６１  電線
６１ａ  端部
６３  コネクタ
６５  メス側端子金具
６５ａ  電線圧着部
６５ｂ  ピン嵌合部
６５ｃ  端部
６６  ゴム栓
【図１】
2013247008.tif 000003
【図２】
2013247008.tif 000004
【図３】
2013247008.tif 000005
【図４】
2013247008.tif 000006